(57)【要約】【課題】オイルの流通抵抗を十分に低減させてオイルポンプの駆動に要するエネルギ消費量を低減する。【解決手段】ケーシング２０内部には、ケーシング２０に流入したオイルの主流をケーシング２０の下流側へ案内する案内部５０が設けられている。案内部５０は、ケーシング２０のオイル流れ方向上流側へ向けて湾曲し、かつ、下流側へ向けて開放するように形成されている。【選択図】図１
2015102070.tif 000002
【特許請求の範囲】
【請求項１】
オイルを濾過するフィルタ（１０）と、
上記フィルタ（１０）を収容するとともに、所定方向に延びるように形成されたケーシング（２０）とを備え、
上記ケーシング（２０）には、オイルを上記ケーシング（２０）内に流入させるオイル流入口（４３ｂ）と、上記ケーシング（２０）内の濾過後のオイルを流出させるオイル流出口（３３ｂ）とが上記ケーシング（２０）の長手方向に離れて形成されたオイルストレーナ（１）において、
上記オイル流入口（４３ｂ）の中心線は、上記フィルタ（１０）が有する網目部（１１）に対し交差するように延びており、
上記ケーシング（２０）内部のオイル流入口（４３ｂ）側には、上記ケーシング（２０）に流入したオイルの主流を上記ケーシング（２０）の下流側へ案内する案内部（５０）が上記ケーシング（２０）のオイル流れ方向上流側へ向けて湾曲し、かつ、下流側へ向けて開放するように設けられていることを特徴とするオイルストレーナ（１）。
【請求項２】
請求項１に記載のオイルストレーナ（１）において、
上記案内部（５０）は、上記ケーシング（２０）の内面から上記フィルタ（１０）の網目部（１１）へ向けて突出するように形成されていることを特徴とするオイルストレーナ（１）。
【請求項３】
請求項１または２に記載のオイルストレーナ（１）において、
上記ケーシング（２０）は、上記案内部（５０）の形成箇所からオイル流れ方向下流側へ延びるように形成された壁部（３１）を有していることを特徴とするオイルストレーナ（１）。
【発明の詳細な説明】
【技術分野】
【０００１】
本発明は、例えばエンジン等のオイルパンの内部に配設するオイルストレーナに関するものである。
【背景技術】
【０００２】
従来より、この種のオイルストレーナとしては、例えば特許文献１に開示されているようにフィルタと、フィルタを収容するケーシングとを備えたものが知られている。特許文献１のオイルストレーナのケーシングは、傾斜しながら所定方向に延びる細長い形状であり、上下方向に２分割されている。下側部材の長手方向一側には、オイル流入管部が形成されている。上側部材の長手方向他側には、オイル流出管部が形成されている。フィルタは、上側部材と下側部材との分割面に配置されており、上側部材と下側部材とで挟持されている。濾過前のオイルはオイル流入管部からケーシング内に流入してケーシングの長手方向他側へ流れながら上方へ流れてフィルタを通過して濾過された後、オイル流出管部から流出する。
【先行技術文献】
【特許文献】
【０００３】
【特許文献１】特許第４５２７００２号公報
【発明の概要】
【発明が解決しようとする課題】
【０００４】
ところで、オイルを濾過するためにオイルストレーナを使用する場合には、オイルをケーシング内に流入させた後、フィルタを通過させながら、ケーシングの長手方向他側に向けて流通させなければならず、オイルの流通抵抗が大きくなりがちである。特許文献１のようにケーシングが傾斜しながら延びる形状で、かつ、ケーシングの下方からオイルを流入させる場合には、オイルの流入方向とケーシングの長手方向とが交差する関係になるので、ケーシングに流入したオイルは、その流れが曲げられながらケーシング内を流通することになり、オイルの流通抵抗がより一層大きくなることが考えられる。特に流入口の開口孔が小さい筒状となっている場合、オイルの流れがフィルタ部分で曲げられるとき、乱流を起こしやすくなりオイルの流通抵抗となる。オイルの流通抵抗が大きいと、オイルポンプの吸入力を高めなければならず、オイルポンプの駆動に要するエネルギ消費量が増大してしまう。
【０００５】
本発明は、かかる点に鑑みてなされたものであり、その目的とするところは、オイルの流通抵抗を十分に低減させてオイルポンプの駆動に要するエネルギ消費量を低減することにある。
【課題を解決するための手段】
【０００６】
上記目的を達成するために、第１の発明は、
オイルを濾過するフィルタと、
上記フィルタを収容するとともに、所定方向に延びるように形成されたケーシングとを備え、
上記ケーシングには、オイルを上記ケーシング内に流入させるオイル流入口と、上記ケーシング内の濾過後のオイルを流出させるオイル流出口とが上記ケーシングの長手方向に離れて形成されたオイルストレーナにおいて、
上記オイル流入口の中心線は、上記フィルタが有する網目部に対し交差するように延びており、
上記ケーシング内部のオイル流入口側には、上記ケーシングに流入したオイルの主流を上記ケーシングの下流側へ案内する案内部が上記ケーシングのオイル流れ方向上流側へ向けて湾曲し、かつ、下流側へ向けて開放するように設けられていることを特徴とする。
【０００７】
この構成によれば、オイル流入口の中心線がフィルタの網目部に対し交差しているので、オイル流入口を流通したオイルは、その流れが曲げられながらケーシングのフィルタが配設された部分に流入することになる。このとき、案内部がオイル流れ方向上流側へ向けて湾曲し、かつ、下流側へ向けて開放しているので、オイルの主流は、案内部によってケーシングの下流側へ案内される。これにより、オイルがケーシングの上壁部に衝突して四方に分散するのが抑制されるので、乱流の発生が抑制されてオイルの流通抵抗が低減する。
【０００８】
第２の発明は、第１の発明において、
上記案内部は、上記ケーシングの内面から上記フィルタの網目部へ向けて突出するように形成されていることを特徴とする。
【０００９】
この構成によれば、フィルタを通過して濾過されたオイルがケーシングの下流側へ確実に案内される。
【００１０】
第３の発明は、第１または２の発明において、
上記ケーシングは、上記案内部の形成箇所からオイル流れ方向下流側へ延びるように形成された壁部を有していることを特徴とする。
【００１１】
この構成によれば、案内部により案内されたオイルを壁部によって下流側へスムーズに流すことが可能になる。
【発明の効果】
【００１２】
第１の発明によれば、オイルの主流を下流側へ案内する案内部をケーシング内部に設けたので、ケーシング内部での乱流の発生を抑制できる。これにより、オイルの流通抵抗を十分に低減させてオイルポンプの駆動に要するエネルギ消費量を低減することができる。
【００１３】
第２の発明によれば、案内部がケーシングの内面からフィルタの網目部へ向けて突出しているので、濾過後のオイルをケーシングの下流側へ確実に案内することができる。
【００１４】
第３の発明によれば、ケーシングの壁部が案内部の形成箇所からオイル流れ方向下流側へ延びるように形成されているので、下流側へスムーズに流すができる。
【図面の簡単な説明】
【００１５】
【図１】実施形態に係るオイルストレーナの縦断面図である。
【図２】オイルストレーナの平面図である。
【図３】オイルストレーナの底面図である。
【図４】変形例１に係る図２相当図である。
【図５】変形例２に係る図１相当図である。
【図６】変形例３に係る図１相当図である。
【図７】変形例４に係る図１相当図である。
【発明を実施するための形態】
【００１６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１７】
図１は、本発明の実施形態に係るオイルストレーナ１の縦断面図である。このオイルストレーナ１は、図示しないが例えば自動車に搭載されるエンジンのオイルパンの内部に配設され、オイルパンに貯留されているオイルを濾過してエンジンのオイルポンプに供給することができるようになっている。尚、オイルストレーナ１は、エンジン以外にも例えば自動変速機等のオイルが循環する装置に使用することができ、この場合もオイルパンの内部に配設することができる。
【００１８】
オイルストレーナ１は、オイルを濾過するためのフィルタ１０と、フィルタ１０を収容することが可能なケーシング２０とを少なくとも備えている。ケーシング２０は、フィルタ１０を収容する部分が傾斜しながら延びており、細長い形状となっている。ケーシング２０の傾斜方向は、オイル流れ方向下流側が上流側に比べて上に位置する方向となっている。
【００１９】
ケーシング２０は、上下方向の中間部において上下に２分割されており、上側部材３０と、下側部材４０とを備えている。上側部材３０及び下側部材４０は樹脂材を成形してなるものである。
【００２０】
上側部材３０は、ケーシング２０の長手方向、即ちオイル流れ方向下流側へ行くほど上に位置するように傾斜しながら延びる上壁部３１と、上壁部３１の周縁部から下方へ延びる周壁部３２とを備えている。周壁部３２の下端部も、オイル流れ方向下流側へ行くほど上に位置するように傾斜しながら延びている。
【００２１】
上壁部３１におけるオイル流れ方向下流側（長手方向他側、図１における左側）には、ケーシング２０内部の濾過後のオイルが流出するオイル流出口３３ｂが上壁部３１を上下方向に貫通するように形成されている。このオイル流出口３３ｂの形状は円形が好ましい。オイル流出口３３ｂの中心線は上下方向に延びている。上壁部３１におけるオイル流出口３３ｂの周縁部には、図示しない環状シール部材が嵌入する環状溝部３３ａが形成されている。
【００２２】
また、図２に示すように、上壁部３１におけるオイル流出口３３ｂの近傍には、締結用フランジ３５が形成されている。締結用フランジ３５には、オイルストレーナ１をエンジンのシリンダブロック（図示せず）に締結するためのボルト等からなる締結部材が挿通する挿通孔３５ａが形成されている。
【００２３】
図１に示すように、上側部材３０の周壁部３２の下端部には、ケーシング２０の外方へ延出する上側フランジ３２ａが形成されている。上側フランジ３２ａは、周壁部３２の全周に連続している。上側フランジ３２ａの下面には、下方へ突出する上側溶着用突条部３２ｂが周壁部３２の全周に連続して形成されている。また、上側部材３０の周壁部３２の内面には、フィルタ１０の枠部１２が嵌まる上側段部３２ｃが形成されている。
【００２４】
下側部材４０は、ケーシング２０の長手方向に延びる下壁部４１と、下壁部４１の周縁部から上方へ延びる周壁部４２とを備えている。下壁部４１は、ケーシング２０の傾斜方向と同方向に傾斜しており、上壁部３１と略平行に形成されている。下壁部４１におけるオイル流れ方向上流側（長手方向一側、図１における右側）には、下方へ突出するオイル流入管部４３が形成されている。オイル流入管部４３の下端部（上流端部）の開口がオイル流入口４３ｂである。従って、オイル流入口４３ｂとオイル流出口３３ｂとはケーシング２０の長手方向に離れることになる。
【００２５】
オイル流入口４３ｂの中心線Ｘは、上下方向に延びている。オイル流入管部４３の長さは、任意の長さに設定することができる。また、オイル流入管部４３を省略してオイル流入口４３ｂを下壁部４１に形成することもできる。この場合、オイル流入口４３ｂが下壁部４１を上下方向に貫通するように形成すればよい。
【００２６】
下側部材４０の周壁部４２の上端部には、ケーシング２０の外方へ延出する下側フランジ４２ａが形成されている。下側フランジ４２ａは、周壁部４２の全周に連続している。下側フランジ４２ａの上面には、上方へ突出する下側溶着用突条部４２ｂが周壁部４２の全周に連続して形成されている。下側溶着用突条部４２ｂは、全周が上側溶着用突条部３２ｂに対して熱板溶着や振動溶着法を用いて溶着され、これにより、上側部材３０と下側部材４０との間がシールされる。
【００２７】
フィルタ１０は、ケーシング２０の長手方向に沿って傾斜しながら延びるように形成されている。図５に示すように、フィルタ１０は、網目部１１と、網目部１１を囲む枠部１２と、複数のリブ１３とを有しており、これらが樹脂材により一体成形されている。
【００２８】
網目部１１には、オイルに混入している異物を捕捉することができる程度の細孔が多数形成されている。網目部１１の形状は、ケーシング２０の長手方向に長く延びており、下側部材４０の上側の開放部分全体を覆うことができるように形成されて十分な濾過面積が確保されている。尚、網目部１１は、樹脂製のメッシュで形成してもよいし、金属製のメッシュで形成してもよい。
【００２９】
オイルストレーナ１内部には、オイル流入管部４３のオイル流入口４３ｂからオイル流出口３３ｂに亘って屈曲しながら延びるオイル流路Ｒが形成されることになる。オイル流路Ｒの形状及び断面積は、オイル流入管部４３の内部形状、ケーシング２０内部のフィルタ１０が配設された部分の形状及びによって設定されることになる。
【００３０】
この実施形態では、本発明の特徴構成として案内部５０を設けている。すなわち、ケーシング２０内部のオイル流入口４３ｂ側には、ケーシング２０に流入したオイルの主流をケーシング２０の下流側へ案内する案内部５０が設けられている。案内部５０は、ケーシング２０のフィルタ１０が配設された部分においてオイル流入口４３ｂに対応する部位、言い換えると、ケーシング２０の上壁部３１においてオイル流入口４３ｂに対向する部位から下方（フィルタ１０の網目部１１）へ突出する板部で構成されている。案内部５０は、全体として、ケーシング２０のオイル流れ方向上流側へ向けて湾曲し、かつ、下流側へ向けて開放している。
【００３１】
案内部５０のオイル流れ方向上流側の端部は、オイル流入口４３ｂの中心線Ｘの延長線よりもケーシング２０のオイル流れ方向上流側に位置している。よって、オイル流入口４３ｂからケーシング２０内部に流入したオイルの主流が案内部５０のオイル流れ方向下流側へ流れるようになる。
【００３２】
また、オイルストレーナ１の側面視で、案内部５０のオイル流れ方向下流側の両端部５０ａ、５０ａは、オイル流入口４３ｂの中心線Ｘの延長線近傍まで延びている。案内部５０の両端部５０ａ、５０ａの間にオイルの主流が流入して下流側へ向かって流れていくようになっている。
【００３３】
案内部５０は、周壁部３２の内周面から離れており、案内部５０と周壁部３２の内周面との間には隙間が形成されている。案内部５０の下端部とフィルタ１０の網目部１１との間にも隙間が形成されている。案内部５０の下端部は、網目部１１に沿うようにオイル流れ方向下流側へ行くほど上に位置するように傾斜している。
【００３４】
この実施形態では、案内部５０をケーシング２０に一体形成しているが、これに限らず、案内部５０を別部材としてケーシング２０に取り付けるようにしてもよい。
【００３５】
また、ケーシング２０内部のオイル流入口４３ｂ側には、板部５１が設けられている。板部５１は、ケーシング２０の幅方向中央部に位置しており、案内部５０におけるオイル流れ方向上流側の端部と、ケーシング２０の周壁部３２の内周面とを繋ぐようにケーシング２０の長手方向に延びている。板部５１の上端部は、ケーシング２０の上壁部３１に一体成形されている。板部５１の下端部は、案内部５０の下端部と略同じ高さに位置している。板部５１によって案内部５０と周壁部３２とを連結できるので案内部５０の強度を向上できる。
【００３６】
この実施形態に係るオイルストレーナ１によれば、オイルの主流を下流側へ案内する案内部５０をケーシング２０内部に設けているので、図１に実線の矢印で、図２に符号Ｍｏで示す矢印のように、オイル流入管口４３ｂからケーシング２０のフィルタ１０が配設された部分に流入したオイルの主流は、案内部５０によってケーシング２０の下流側へ案内される。これにより、オイル流入口４３ｂから流入したオイルがケーシング２０の上壁部３１に衝突して流れが四方に分散してしまうのを抑制でき、全体的に下流側へ向けて流すことができる。よって、ケーシング２０内での乱流の発生を抑制することができる。案内部５０とケーシング２０の周壁部３２との間に流入したオイルは、板部５１によって図２に符号Ｓ１及び符号Ｓ２で示す矢印のように２方向に分かれて案内部５０の側面部と周壁部３２の内面との間を、該周壁部３２の内面に沿って下流側へ流れていく。これにより、主流（矢印Ｍｏ）の流れが乱れにくくなるので、主流がより一層スムーズに流れるようになる。その結果、オイルの流通抵抗をより一層低減でき、オイルの流通抵抗を十分に低減させてオイルポンプの駆動に要するエネルギ消費量を低減することができる。
【００３７】
また、案内部５０がケーシング２０の内面からフィルタ１０の網目部１１へ向けて突出しているので、濾過後のオイルをケーシング２０の下流側へ確実に案内することができる。また、図示しないが、案内部はフィルタ１０に設けてもよい。
【００３８】
また、ケーシング２０の上壁部３１は、案内部５０の形成箇所からオイル流れ方向下流側へ向けて斜め上方へ延びるように形成されている。これにより、案内部５０により案内されたオイルをより一層スムーズに下流側へ流すことができる。
【００３９】
尚、上記実施形態の板部５１は以下に示す変形例１〜４のように省略することもできるが、変形例１〜４において板部５１を設けることもできる。
【００４０】
図４に示す実施形態の変形例１のように、側面視で案内部５０の両端部５０ａ、５０ａがオイル流入口４３ｂの中心線Ｘよりもケーシング２０のオイル流れ方向下流側に位置するまで延びるように形成してもよい。これにより、オイルを下流側へ向けてより確実に案内できる。
【００４１】
図５に示す実施形態の変形例２のように、ケーシング２０の上壁部３１に上方へ突出するオイル流出管部３３を設けてもよい。この変形例２では、オイル流出口３３ｂがオイル流出管部３３の上端部（下流端部）に形成されることになる。
【００４２】
図６に示す実施形態の変形例３のように、ケーシング２０の上壁部３１をケーシング２０の内方へ向けて窪ませることによって案内部５０を形成してもよい。上壁部３１における案内部５０の形成部位には凹部５０ｂが形成される。この変形例３では、凹部５０ｂの形成よって案内部５０が上端部へ行くほどオイル流れ方向下流側に位置するように湾曲するので、オイルを下流側へより一層スムーズに案内することができる。
【００４３】
図７に示す実施形態の変形例４のように、フィルタ１０の網目部１１に、オイル流入口４３ｂの中心線Ｘに直交する方向に延びる流入側網目部１１ａと、オイル流出口３３ｂの中心線に直交する方向に延びる流出側網目部１１ｂとを形成している。オイル流入管部４３の中心線Ｘ及びオイル流出口３３ｂの中心線は、この実施形態では略鉛直に延びているので、流入側網目部１１ａ及び流出側網目部１１ｂが略水平に延びることになる。また、ケーシング２０は、フィルタ１０の形状に合わせて形状変更している。
【００４４】
この変形例４では、オイル流入口４３ｂから流入したオイルが流入側網目部１１ａに対して直線的に流入するようになるので、オイルの流通抵抗が低減する。また、流出側網目部１１ｂから流出したオイルが直線的に流れてオイル流出口３３ｂに流入するので、このことによってもオイルの流通抵抗が低減する。
【００４５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００４６】
以上説明したように、本発明に係るオイルストレーナは、例えばエンジンのオイルパンの内部に配設して使用することができる。
【符号の説明】
【００４７】
１          オイルストレーナ
１０        フィルタ
１１        網目部
１１ａ      流入側網目部
１１ｂ      流出側網目部
２０        ケーシング
３１        上壁部
３３ｂ      オイル流出口
４１        下壁部
４３ｂ      オイル流入口
５０        案内部
【図１】
2015102070.tif 000003
【図２】
2015102070.tif 000004
【図３】
2015102070.tif 000005
【図４】
2015102070.tif 000006
【図５】
2015102070.tif 000007
【図６】
2015102070.tif 000008
【図７】
2015102070.tif 000009